(57)【特許請求の範囲】
【請求項１】
エアフィルタユニットを、前方側が開口するケーシング内部に取り付けるためのエアフィルタ取付機構であって、
前後方向に延在する棒状部材と、前記ケーシングの内周面に固定されるとともに、前記棒状部材が取り付けられるための保持部材と、前記棒状部材に装着され、前記エアフィルタユニットを前記ケーシング内部に取り付けるための固定具とを備え、
前記保持部材は、貫通穴を有する固定片と、前記固定片の前方側に対向して設けられるとともに、前記固定片の貫通穴に対応するように位置する貫通穴を有する規制片と、前記固定片と前記規制片とを接続する第１の接続片を備え、
前記棒状部材は、前記固定片及び規制片の貫通穴を通されて前記固定片に固定されており、
前記固定具は、前記規制片の前方側に配置されて前記エアフィルタユニットを前方側から押さえ付ける押さえ片を備え、
前記固定具がさらに、前記押さえ片の後方側に対向して設けられる対向片と、前記対向片と前記押さえ片を接続する第２の接続片とを備え、
前記押さえ片及び対向片それぞれは、互いに対応する位置に前記棒状部材が通される貫通穴を有しており、
前記対向片が、前記規制片と前記固定片の間に配置されることを特徴とするエアフィルタ取付機構。
【請求項２】
前記押さえ片は、第１の方向における一端側が前記フィルタユニットの前面を押さえつけるとともに、他端側が前記フィルタユニットの外周面よりも外側に配置され、
前記第２の接続片は、前記外周面よりも外側に配置されるとともに、前記第１の方向に直交する第２の方向において、前記棒状部材を間に挟みつつ、前記第１の接続片に対向することを特徴とする請求項１に記載のエアフィルタ取付機構。
【請求項３】
前記第１の接続片は、前記ケーシングの内周面に略垂直に配置されることを特徴とする請求項１に記載のエアフィルタ取付機構。
【請求項４】
前記保持部材は、前記ケーシングの内周面に沿うように配置されて、前記内周面に固定される取付片を備え、前記取付片は、前記第１の接続片に略垂直に連設されることを特徴とする請求項１に記載のエアフィルタ取付機構。
【請求項５】
前記固定片及び規制片それぞれは、前記ケーシングの内周面に対向する端面をそれぞれ備え、
前記固定片における前記端面と貫通穴の距離は、前記規制片における前記端面と貫通穴の距離より長くなっていることを特徴とする請求項１に記載のエアフィルタ取付機構。
【請求項６】
前記固定片及び規制片の貫通穴は、丸孔又は切り欠きであることを特徴とする請求項１に記載のエアフィルタ取付機構。
【請求項７】
前記棒状部材がボルトの軸部であって、
前記ボルトは、前記固定片の後方側に配置される頭部を有するとともに、前記固定片の前方側に螺合された第１のナットによって前記固定片に固定されることを特徴とする請求項１に記載のエアフィルタ取付機構。
【請求項８】
前記棒状部材がボルトの軸部であって、
前記ボルトの前記押さえ片の前方側に第２のナットが螺合されており、前記押さえ片は、前記第２のナットによる押圧力によって、前記エアフィルタユニットを前方側から押さえ付けることを特徴とする請求項１に記載のエアフィルタ取付機構。
【発明の詳細な説明】
【技術分野】
【０００１】
本発明は、エアフィルタユニットを天井等に設けられたケーシング内部に取り付けるためのエアフィルタ取付機構に関する。
【背景技術】
【０００２】
従来、天井面等に設けられたケーシング内部にエアフィルタユニットを取り付けるために、ケーシング側に設けられたボルト受け部と、ボルト受け部に固定されたボルトと、ボルトに取り付けられる固定金具とから構成される取付機構が使用される。この種の取付機構における固定金具は、フィルタ枠の前面を押さえつけて、フィルタユニットをケーシングに固定させる。
【０００３】
固定金具は例えば、一端側でエアフィルタ枠の前面を押さえつけるとともに、他端側がフィルタ枠外周面よりも外側に配置される押さえ片と、押さえ片の他端側に対向して設けられる対向片と、対向片と押さえ片を接続する接続片とが一体となって構成される（特許文献１参照）。この固定金具では、押さえ片の他端側及び対向片の互いに一致する位置にボルト穴が形成される。そして、ボルト受け部に固定されたボルトに、押さえ片及び対向片のボルト穴が通された後、さらにボルトにナットが螺合されて、ナットの締め付け力によって、押さえ片がフィルタ枠を押さえつけることになる。
【先行技術文献】
【特許文献】
【０００４】
【特許文献１】特開２００９−９５８１１号公報
【発明の概要】
【発明が解決しようとする課題】
【０００５】
しかし、フィルタ固定のためにナットの締め付けが行われると、その締め付けが進むにつれて、押さえ片の他端側が上方（背面側）に浮き上がり、それと共にボルトの下端側が外側に向けて傾くことがある。ボルトが傾くと、固定金具による押さえ力を十分に大きくすることができず、また、ボルトの下端部が例えばケーシング内周面に近づき、ナットの締付が十分に行えない場合がある。特許文献１の構成では、固定金具に接続片が設けられるため、ボルトの傾きはある程度軽減されるが、十分に抑制されるわけではない。
【０００６】
また、フィルタを取り付け又は取り外す際、固定金具の下方にナットが螺合されていないと、固定金具を支持する部材がなくなるため、固定金具が不意に落下してしまうおそれもある。
【０００７】
本発明は、以上の問題点に鑑みてなされたものであり、フィルタ取り付け時のボルト傾きを抑制し、さらにはフィルタ取り付け・取外し時に、固定金具が、不意に落下することを防止することを目的とする。
【課題を解決するための手段】
【０００８】
本発明に係るエアフィルタ取付機構は、エアフィルタユニットを、前方側が開口するケーシング内部に取り付けるためのエアフィルタ取付機構であって、前後方向に延在する棒状部材と、ケーシングの内周面に固定されるとともに、棒状部材が取り付けられるための保持部材と、棒状部材に装着され、エアフィルタユニットをケーシング内部に取り付けるための固定具とを備える。
【０００９】
本発明においては、保持部材が、貫通穴を有する固定片と、固定片の前方側に対向して設けられるとともに、固定片の貫通穴に対応するように位置する貫通穴を有する規制片と、固定片と規制片とを接続する第１の接続片を備え、棒状部材が、固定片及び規制片の貫通穴を通されて固定片に固定されており、かつ固定具が、規制片の前方側に配置されてエアフィルタユニットを前方側から押さえ付ける押さえ片を備えることを特徴とする。
【００１０】
固定具がさらに、押さえ片の後方側に対向して設けられる対向片と、対向片と押さえ片を接続する第２の接続片とを備え、これら押さえ片及び対向片それぞれは、互いに対応する位置に棒状部材が通される貫通穴を有していることが好ましい。この場合、対向片は、規制片と固定片の間に配置される。
【００１１】
押さえ片は例えば、第１の方向における一端側がフィルタユニットの前面を押さえつけるとともに、他端側がフィルタユニットの外周面よりも外側に配置されている。第２の接続片は例えば、外周面よりも外側に配置されるとともに、第１の方向に直交する第２の方向において、棒状部材を間に挟みつつ、第１の接続片に対向する。
【００１２】
保持部材の第１の接続片は、例えばケーシングの内周面に略垂直に配置される。また、保持部材は、ケーシングの内周面に沿うように配置されて、内周面に固定される取付片を備えていても良い。取付片は、第１の接続片に略垂直に連設されている。固定片及び規制片それぞれは、ケーシングの内周面に対向する端面をそれぞれ備える場合、固定片における端面と貫通穴の距離は、規制片における端面と貫通穴の距離より長くなっていることが好ましい。固定片及び規制片の貫通穴は例えば、丸孔又は切り欠きである。
【００１３】
例えば棒状部材がボルトの軸部である場合、ボルトは、固定片の後方側に配置される頭部を有するとともに、固定片の前方側に螺合された第１のナットによって固定片に固定される。また、軸部が押さえ片に設けられた貫通穴に通されるとともに、ボルトの押さえ片の前方側に第２のナットが螺合されており、押さえ片が、第２のナットによる押圧力によって、エアフィルタユニットを前方側から押さえ付けていても良い。
【発明の効果】
【００１４】
本発明では、固定具が装着されるボルト等の棒状部材が、規制片及び固定片の貫通穴に通されて配置されるため、固定具取り付け時の棒状部材の傾きが抑制される。また、固定具に設けられた対向片が、規制片と固定片の間に配置されることにより、フィルタ取り付け時や取り外し時に、固定具が不意に落下することも防止される。
【図面の簡単な説明】
【００１５】
【図１】エアフィルタ装置の斜視図である。
【図２】エアフィルタ取付機構の概略を示す側面図である。
【図３】固定具を示す斜視図である。
【図４】第１の実施形態において、ケーシングに取り付けられたボルト受け部を示す斜視図である。
【図５】第１の実施形態に係るボルト受け部を示す上面図である。
【図６】第１の実施形態に係るエアフィルタ取付機構を示す斜視図である。
【図７】第１の実施形態に係るエアフィルタ取付機構を示す正面図である。
【図８】第２の実施形態に係るボルト受け部と、ボルト受け部に取り付けられる前のボルト及び固定具を示す斜視図である。
【図９】第２の実施形態に係るボルト受け部を示す上面図である。
【発明を実施するための形態】
【００１６】
以下図面を参照しつつ、本発明の実施形態に係るエアフィルタの取付構造を説明する。図１は、エアフィルタ装置を示す斜視図である。エアフィルタ装置１０は、ケーシング１１と、エアフィルタユニット２７を備える。エアフィルタユニット２７は、その前後方向（上下方向）に開口されたフィルタ枠１３と、フィルタ枠１３の内部に収納される濾材１４と、濾材１４を保護するためのフェイスガード１５、１５とを備える。ケーシング１１は、下面側（前方側）が開口された四角形の箱状に形成される。
【００１７】
フィルタ枠１３は、対向して設けられる第１及び第２の枠板１３Ａ、１３Ｂと、対向して設けられかつ第１及び第２の枠板１３Ａ、１３Ｂの端部を接続する第３及び第４の枠板１３Ｃ、１３Ｄによって四角枠状に形成される。濾材１４は、平面状の濾材シートがジグザグ状に折り畳まれて略直方体に形成され、その外周面がフィルタ枠１３の内周面に接着されて、フィルタ枠１３の内部に装着されている。フェイスガード１５、１５は、金属板に多数のパンチング穴が穿設されて形成される。フェイスガード１５、１５は、フィルタ枠１３の内部において、濾材１４の下面及び上面に配置されて、濾材１４を保護する。
【００１８】
エアフィルタユニット２７は、ケーシング１１の前方側の開口１１Ｃからケーシング１１の内部に収納される。エアフィルタユニット２７は、固定具２０によってフィルタ枠１３の前面１６側が押さえ付けられることにより、ケーシング１１の内部に取り付けられる。本実施形態では、固定具２０は、フィルタ枠１３の第１〜第４の枠板１３Ａ〜１３Ｄの前面（下面）それぞれに当接するように４つ設けられているが、第１〜第４の枠板１３Ａ〜１３Ｄのうち、少なくとも対向する２つの枠板の前面に当接するように設けられれば良い。また、４つ以上の固定具２０が設けられていても良い。
【００１９】
図２に示すように、ケーシング１１の底面１１Ｄには、フィルタ枠１３の背面（上面）１７上に配置される四角形枠状のフィルタ取付枠１９が設けられる。フィルタ枠１３の背面１７とフィルタ枠取付枠１９の間には、フィルタ枠１３の全周にわたって設けられたガスケット１８が配置され、フィルタ枠１３はガスケット１８を介してフィルタ取付枠１９に接続される。
【００２０】
固定具２０は、フィルタ枠１３を前面１６側から押さえ付けることにより、フィルタ取付枠（取付部）１９と共にフィルタ枠１３を挟み込んで、フィルタ枠１３をケーシング１１に取り付ける。ガスケット１８はフィルタ取付枠１９とフィルタ枠１３によって上下から挟圧され、これによりフィルタ枠１３の背面１７はフィルタ取付枠１９（すなわち、ケーシング１１の底面１１Ａ）に気密性をもって接続される。
【００２１】
本実施形態に係るフィルタ取付機構は、固定具２０に加えて、固定具２０が取り付けられるためのボルト４０と、ボルト４０をケーシング１１側に固定するためのボルト受け部（保持部材）３０とをさらに備える。
【００２２】
ボルト受け部３０は、ケーシング１１内部であって、ケーシング１１の内周面１１Ａと、フィルタ枠１３の外周面１３Ａの間の隙間に配置される。なお、内周面１１Ａと外周面１３Ａは互いに略平行である。ボルト受け部３０は、各固定具２０に対応して複数設けられ、それぞれケーシング１１の内周面１１Ａに固定される。ボルト４０の軸部４１は、外周にネジ溝が切られるとともに、ケーシング１１の前後方向（すなわち、上下方向）に平行に延在する。軸部４１は、ボルト受け部３０に形成された２つのボルト穴（貫通穴）３１Ｈ、３３Ｈに通されるとともに、ナット４３によってボルト受け部３０に固定される。
【００２３】
固定具２０は、２つのボルト穴（貫通穴）２１Ｈ、２３Ｈを有しており、それらボルト穴２１Ｈ、２３Ｈ内部にボルト４０の軸部４１が通されて、ボルト４０に装着される。軸部４１において、固定具２０の前面側には、ばね座金４６が挿入され、そのさらに前面側にナット４４が螺合される。固定具２０は、ボルト４０に螺合されて締め付けられるナット４４によって、ばね座金４６を介して後方（上方）に向けて押圧される。固定具２０はナット４４の押圧力によって、フィルタ枠１３を背面側に押さえつける。
【００２４】
次に図３を用いて本実施形態に係る固定具についてさらに詳細に説明する。固定具２０は、押さえ片２１と、押さえ片２１に対向して設けられる対向片２３と、これらを接続する接続片２２を備える。押さえ片２１は、細長の略矩形の板状に形成され、その長手方向における一端２１Ａは上方から見ると円弧状に形成され、他端２１Ｂは両側が面取りされた形状を呈している。押さえ片２１は、その長手方向における中央位置Ｃより他端部２１Ｂにボルト穴２１Ｈが穿設される。
【００２５】
押さえ片２１の幅方向における両端部、すなわち両側端部２１Ｃ、２１Ｄそれぞれには、押さえ片２１の一方の面２１Ｘに垂直に第１及び第２のリブ２４、２５が連設される。第１及び第２のリブ２４、２５は、押さえ片２１の両側端部２１Ｃ、２１Ｄが折り曲げられた形状を呈する。押さえ片２１は、これらリブ２４、２５を介してフィルタ枠を押さえつける。
【００２６】
接続片２２は、第１のリブ２４の先端面（すなわち、側端部２１Ｃ）から、上方に向って細長の略矩形状に延出するものであって、第１のリブ２４と同一平面上に配置された板状の部材である。すなわち、接続片２２は、第１のリブ２４と共に、押さえ片２１から折り曲げられた形状を呈する。押さえ片２１の長手方向において、接続片２２の長さは、押さえ片２１よりも短く、接続片２２は、中心位置Ｃより他端部２１Ｂ側に配置される。そのため、押さえ片２１の長手方向において、接続片２２は、貫通穴２１Ｈと一致する位置に配置される。
【００２７】
接続片２２の先端（接続片２２の長手方向における一端）には、板状の対向片２３が垂直に連設される。対向片２３は、接続片２２の先端が折り曲げられた形状を呈し、押さえ片２１の中央位置Ｃよりも他端２１Ｂ側の部分に対向する。これにより、押さえ片２１、接続片２２、及び対向片２３は一体となって、断面コの字を呈する。対向片２３には、ボルト穴２３Ｈが穿設されており、ボルト穴２１Ｈ、２３Ｈは互いに一致した位置に配置される。
【００２８】
次に、図４、５を用いてボルト受け部の構造について詳細に説明する。なお、以下の説明においては、ケーシング１１の内周面１１Ａ、及び上下方向に垂直な方向をＸ方向、上下方向（例えば、鉛直方向）をＹ方向、これらＸ、Ｙ方向に垂直であって、内周面１１Ａに平行である方向をＺ方向として便宜的に説明する。
【００２９】
ボルト受け部３０は、互いに対向する固定片３１及び規制片３３と、これら固定片３１と規制片３３とを接続する接続片３２によって一体的にコの字に形成され、さらに接続片３２に一体的に連設された取付片３４によってケーシング１１に取り付けられる。
【００３０】
接続片３２は、略矩形の板状に形成され、その長手方向における両端それぞれにおいて、板状の固定片３１及び規制片３３それぞれが、接続片３２の一方の面３２Ｘ側に垂直に連設される。また、接続片３２の幅方向における両端３２Ａ、３２Ｂのうち一端３２Ａには、板状の取付片３４が、接続片３２の反対面３２Ｙ側に垂直に連設される。すなわち、接続片３２は、長手方向における両端が、一方の面３２Ｘ側に折り曲げられた形状を呈して、固定片３１及び規制片３３が設けられる。また、幅方向における一端３２Ａが、反対面３２Ｙ側に折り曲げられた形状を呈して、取付片３４が設けられる。
【００３１】
固定片３１及び規制片３３は、互いに略平行であるとともに、それぞれ一致した位置にボルト穴３１Ｈ、３３Ｈが穿設される。固定片３１及び規制片３３は、略方形又は矩形を呈するとともに、それぞれの一方の側端面３１Ｂ、３３Ｂ（Ｘ方向における端面）がケーシング１１の内周面１１Ａに対向するとともに、他方の側端面３１Ｃ、３３Ｃがフィルタ枠１３の外周面１３Ａ（図２参照）に対向する。
【００３２】
取付片３４は、その長手方向における長さが、接続片３２と略同一である略矩形の板状部材であって、２つの孔３４Ｈ、３４Ｈが穿設される。取付片３４は、ケーシング１１の内周面１１Ａに沿って配置され、孔３４Ｈ、３４Ｈに通されたリベット（不図示）等によって、ケーシング１１に固定される。これにより接続片３２は、Ｚ方向、すなわち内周面１１Ａに略垂直に配置され、その幅方向がＸ方向に、長手方向がＹ方向に沿って配置される。また、固定片３１及び規制片３３は、Ｙ方向に略垂直に配置される。
【００３３】
図３〜５から明らかなように、ボルト穴２１Ｈ、２３Ｈ、３１Ｈ、３３Ｈは、孔周縁全体が閉じた丸孔であって、その直径はボルト４０の軸部４１外径よりわずかに大きい。また、固定具２０及びボルト受け部３０は、１枚の金属板が折り曲げ加工されて成形された金具であるが、折り曲げ加工以外の方法で作製されても良い。
【００３４】
なお、固定片３１及び規制片３３において、先端面３１Ａ（３３Ａ）と、両側端面３１Ｂ、３１Ｃ（３３Ｂ、３３Ｃ）との接続部分は、面取りされている。ここで、規制片３３において、先端面３３Ａと、一方の側端面３３Ｂ（一端３２Ａ側の側端面）の接続部分は、ボルト穴３３Ｈに同心的な円弧面３３Ｅで面取りされるが、その他の接続部分は平面３１Ｄ、３３Ｄで面取りされる。
【００３５】
次に、ボルト受け部３０にボルト４０及び固定具２０が取り付けられる構成について図６、７を用いて詳細に説明する。本実施形態では、ケーシング１１に取り付けられたボルト受け部３０にボルト４０が取り付けられ、それとともにボルト４０に固定具２０が取り付けられ、フィルタ枠がケーシング１１に固定される。
【００３６】
具体的には、対向片２３が、固定片３１及び規制片３３の間に置かれるように、固定具２０が配置される。すなわち前方側（下側）から、押さえ片２１、規制片３３、対向片２３、及び固定片３１がこの順で並べられる。そして、略一致した位置に配置されたボルト穴２１Ｈ、３３Ｈ、２３Ｈ、３１Ｈにボルト４０の軸部４１が通されつつ、ボルト４０の軸部４１に固定片３１の前面側からナット４３が螺合される。ボルト４０の頭部４２は固定片３１の背面上に配置させられ、頭部４２とナット４３によって固定片３１が挟み込まれ、ボルト４０が固定片３１、すなわちボルト受け部３０に固定される。
【００３７】
次いで、ボルト４０の軸部４１に、押さえ片２１の前方側からばね座金４６が挿入され、さらにナット４４が螺合される。ナット４４は締め付けられることにより、ばね座金４６を介して、後方側に向けて固定具２０、すなわち押さえ片２１を押圧する。このように押圧された押さえ片２１は、フィルタ枠１６を押さえつけ、エアフィルタユニットをケーシング内に固定させる。
【００３８】
このとき、対向片２３及び押さえ片２１は、Ｙ方向に略垂直に配置されて、固定片３１及び規制片３３に対して略平行になるとともに、押さえ片２１の長手方向は、Ｘ方向に沿って配置される。押さえ片２１は、その長手方向における一端２１Ａ側がフィルタ枠１３の前面１６を押さえつけるとともに、他端２１Ｂ側がフィルタ枠１３の外周面よりも外側に配置される。
【００３９】
接続片２２は、フィルタ枠の外周面よりも外側において、Ｚ方向に略垂直に配置され、Ｚ方向において、ボルト４０の軸部４１を間に挟んで、ボルト受け部３０の接続片３２に対向する。そして、規制片３３の先端面３３Ａは、接続片２２の内周面に近接して対向する。
【００４０】
本実施形態では、ボルト４０の軸部４１は、ボルト受け部３０の固定片３１のボルト穴３１Ｈに加えて、規制片３３のボルト穴３３Ｈにも通されている。したがって、ボルト４０がナット４４締付時に固定片３１を支点にフィルタ枠１３の外周面１３Ａに対して外側に傾こうとすると、ボルト４０の軸部４１はボルト穴３１Ｈ、３３Ｈの内周縁部に係止され、これにより、ボルト４０の傾きが抑制される。
【００４１】
また、ボルト４０はボルト受け部３０にナット４３により固定されるので、ボルト受け部３０から容易に取り外し可能である。そのため、例えば、フィルタの種類に応じてボルト４０を交換することが可能である。さらに、例えばボルト受け部塗装時等、ボルト４０を取り外すことにより、ボルト溝への塗料の目詰まり等を防止するためにボルト４０をマスキング等する必要もなくなる。また、ボルトを溶接等によってボルト受け部に固定させる必要もないので、ボルトのボルト受け部への取り付けが容易になる。
【００４２】
さらに、軸部４１には、規制片３３の上方（後方）に、固定具２０の対向片２３が通されている。そのため、ナット４４がボルト４０の軸部４１に螺合されていない状態において、固定具２０が自由落下しても、固定具２０の対向片２３が規制片３３に引っ掛かり、固定具２０がボルト４０から不意に離脱することが防止される。すなわち本実施形態では、フィルタの取り付け又は取り外し時等において、固定具２０が不意にボルト４０から外れて落下することはない。
【００４３】
なお、ナット４４が締められていない状態において固定具２０は、軸部４１を中心に回動可能である。このような回動は、接続片２２が規制片３３に係止されることにより所定角度範囲内においてのみ可能となる。
【００４４】
具体的には、図６、７の状態（押さえ片２１の長手方向がＸ方向に平行にされた状態）から、固定具２０が反時計回りに回転されると、規制片３３の先端面３３Ａが接続片２２の内周面に係止し、固定具２０の反時計回りの回転が規制される（図５の一点鎖線の状態）。また、固定具２０が、図６、７の状態から時計回りに約９０°回転した状態では、規制片３３の側端面３３Ｂが接続片２２の内周面に係止し、時計回りの回転が規制される（図５の二点鎖線の状態）。
【００４５】
なお、本実施形態では、固定具２０が図６、７の状態から時計回り回転させられると、固定具２０によって、エアフィルタユニットのケーシング１１内への出し入れが邪魔されることはない。したがって、固定具２０をボルト４０から取り外さなくても、エアフィルタユニットの取り付け及び取り外しを実施することが可能である。
【００４６】
また、Ｘ方向において、規制片３３の側端面３３Ｂと、ボルト穴３３Ｈの距離は、固定片３１の側端面３１Ｂとボルト穴３１Ｈの距離よりも短くなっている。そのため、ケーシング１１の内周面１１Ａと規制片３３との間には、相対的に大きな隙間が設けられる。また上記したように、内周面１１Ａに対向する側端面３３Ｂと先端面３３Ａの接続部分は、固定具２０の回転軌道に沿う円弧面３３Ｅである。したがって、図６、７の状態から時計回りに固定具２０を回転しやすくなる。
【００４７】
一方、固定片３１では、ボルト穴３１Ｈと、側端面３１Ｂとの距離が相対的に長く取られるので、ボルトの頭部４２やナット４３が接触する固定片３１の面積を大きくでき、ボルト４０を固定片３１に安定的に固定させやすくなる。なお、Ｘ方向において、固定片３１のボルト穴３１Ｈと、側端面３１Ｃの距離は、規制片３３のボルト穴３３Ｈと側端面３３Ｃの距離に略等しい。
【００４８】
図８、９は、本発明の第２の実施形態に係るフィルタ取付機構を示す。第１の実施形態では、ボルト受け部３０に設けられたボルト穴は丸孔であったが、本実施形態では切り欠きである。以下第２の実施形態について、第１の実施形態との相違点について説明する。
【００４９】
本実施形態では固定片３１及び規制片３３には、先端面３１Ａ、３３Ａ側から切り欠き６１、６３が形成される。すなわち、固定片３１は、接続片３２に垂直に連設されるベース６１Ｘと、ベース６１ＸからＺ方向に延出する２つの舌部６１Ｙ、６１Ｚとから構成され、これら舌部６１Ｙ、６１Ｚ間に切り欠き６１が配置される。切り欠き６１は、対称軸がＺ方向に平行な半円を呈する底部６１Ａと、舌部６１Ｘ、６１Ｚそれぞれで構成され、底部６１Ａの両端それぞれから先端面３１Ａに向かって、Ｚ方向に沿って延出する側部６１Ｂ、６１Ｃによって構成される。
【００５０】
一方、規制片３３の切り欠き６３は、切り欠き６１と同様に、対称軸がＺ方向に平行な半円を呈する底部６３Ａと、その底部６３Ａの一端からＺ方向に延出する側部６３Ｃが設けられるが、底部６３Ａの他端から延出する側部は設けられない。すなわち、規制片３３は、接続片３２に垂直に連設されるベース６３Ｘと、そのベース６３ＸからＺ方向に延出する舌部６３Ｙ、６３Ｚが設けられるが、一方の舌部６３Ｙは他方の舌部６３Ｚより短くなる。なお、長さが短い一方の舌部６３Ｙは、一端３２Ａ側に配置されて、内周面１１Ａに対向する側端面３３Ｂを構成する。また、他方の舌部６３Ｚは、他端３２Ｂ側に配置されて、外周面１３Ａ（図２参照）に対向する側端面３３Ｃを構成する。底部６１Ａ、６３Ａの直径は、ボルト４０の外径よりわずかに大きく、ボルト４０は底部６１Ａ、６３Ａの内周縁部に沿うように配置される。
【００５１】
本実施形態においても第１の実施形態と同様に、固定片３１（舌部６１Ｚ）、及び規制片３３（舌部６３Ｙ）によって、ボルト４０の傾きが抑制されるとともに、規制片３３によって、固定具２０が不意に下方に落下することが防止される。また、接続片２２の内周面が、規制片３３の側端面３３Ｂ、又は舌部６３Ｚの先端部（すなわち、規制片３３の先端面３３Ａ）に係止されることにより、固定具２０の軸部４１周りの回動が、第１の実施形態と同様に規制される。
【００５２】
なお第１の実施形態と同様に、Ｘ方向において、側端面３３Ｂと、ボルト穴（切り欠き６３）間の距離は、側端面３１Ｂと切り欠き６１の距離よりも短い。すなわち、規制片３３において、舌部６３Ｙの幅及び長さは共に、固定片３１の舌部６１Ｙの幅及び長さよりも短くされる。一方、舌部６３Ｚの幅及び長さは、固定片３１の舌部６１Ｚと略同一である。
【００５３】
このように、舌部６３Ｙの長さや幅を短くすることにより、固定具２０の時計回りの回転が、舌部６３Ｙによって阻害されなくなるとともに、舌部６３Ｙの長さを短くすることにより、舌部６３Ｙが使用中等に破損することが防止される。一方、固定片３１において、舌部６１Ｙの幅及び長さは共に大きく、固定片３１と、ボルトの頭部４２及びナット４３との接触面積が大きくなる。そのため、固定片３１にボルト４０は安定的に固定させることが可能である。
【００５４】
さらに、第１の実施形態では、ボルト４０は、固定片３１の上面側から、ボルト穴に通す必要があったが、本実施形態では、ボルト穴が切り欠きであるため、ボルト４０は先端面３１Ａ，３３Ａ側からボルト穴に挿入させることが可能である。したがって、図８に示すように、ボルト４０にナット４３を螺合させかつ固定具２０を通した状態で、ボルト４０をＺ方向に移動させることにより、先端面３１Ａ、３３Ａ側からボルト４０を、切り欠き（ボルト穴）に挿入させることが可能である。これにより、第１の実施形態に比べて、ボルト受け部にボルト及び固定具を取り付けやすくなる。
【符号の説明】
【００５５】
１０  エアフィルタ装置
１１  ケーシング
１３  フィルタ枠
１４  濾材
２０  固定具
２１  押さえ片
２２  接続片（第２の接続片）
２３  対向片
２７  エアフィルタユニット
３０  ボルト受け部
３１  固定片
３２  接続片（第１の接続片）
３３  規制片
４０  ボルト
４１  軸部（棒状部材）
４２  頭部
４３、４４  ナット（第１及び第２のナット）
【図１】
0005415997.tif 000002
【図２】
0005415997.tif 000003
【図３】
0005415997.tif 000004
【図４】
0005415997.tif 000005
【図５】
0005415997.tif 000006
【図６】
0005415997.tif 000007
【図７】
0005415997.tif 000008
【図８】
0005415997.tif 000009
【図９】
0005415997.tif 000010